(57)【特許請求の範囲】
【請求項１】
培地に植えつけられる植物を栽培あるいは観賞するために、前記植物を囲うように配設される透明な保護ケースと、前記保護ケースを支持する器台と、を有し、
前記保護ケースが、透明材で形成される上ケースと、外周縁が前記上ケースとパッキンを介して連結され前記器台上に支持される下ケースと、を有し、
前記上ケースと前記器台とを固定することによって、前記上ケースと前記下ケースとを密封するように構成される植物栽培用容器であって、
前記下ケースが、前記上ケースと係合可能な外周縁部と、前記外周縁部の内方で中央に向かって低くなるようなテーパ面と、を有するフランジ部と、前記フランジ部の中央部で上方に延設され前記培地が収納された培地収納部と、を有して構成され、
前記培地収納部の側壁に複数個の孔が形成されるとともに、前記培地の下方には、前記培地に含まれる寒天が溶けることによって前記培地と一体化されたミズゴケが配設され、
前記孔に三脚状のピンのそれぞれの脚部を挿通するとともに前記ピンが前記ミズゴケを拘持するように前記培地収納部内に配設されたことを特徴とする植物栽培用容器。
【請求項２】
培地に植えつけられる植物を栽培あるいは観賞するために、前記植物を囲うように配設される透明な保護ケースと、前記保護ケースを支持する器台と、を有し、
前記保護ケースが、透明材で形成される上ケースと、外周縁が前記上ケースとパッキンを介して連結され前記器台上に支持される下ケースと、を有し、
前記上ケースと前記器台とを固定することによって、前記上ケースと前記下ケースとを密封するように構成される植物栽培用容器であって、
前記下ケースが、前記上ケースと係合可能な外周縁部と、前記外周縁部の内方で中央に向かって低くなるようなテーパ面と、を有するフランジ部と、前記フランジ部の中央部で上方に延設され前記培地が収納された培地収納部と、を有して構成され、
前記培地には寒天が含まれ、
前記培地収納部の下部に前記培地収納部の内部と外部に通ずる複数個の孔が形成され、前記培地の下方に前記寒天によって前記培地に固着されるとともに前記孔に一部が貫通されて前記培地に他部が埋設されるように、培地脱落防止部材が配設されたことを特徴とする植物栽培用容器。
【発明の詳細な説明】
【０００１】
【発明の属する技術分野】
この発明は、主に食虫植物を栽培あるいは観賞するために設けられる植物栽培用容器に関し、さらに、培地が培地収納部に固着するように形成する植物栽培用容器に関する。
【０００２】
【従来の技術】
従来、食虫植物を容器の中に収納させて栽培あるいは鑑賞するものは、特開平９−２４８０６６号に示されている。これによれば、植物栽培用容器２１は、図８に示すように、植物Ｓを保護するための保護ケース２２と器台２６とを備えている。保護ケース２２は、透明な材料で上部が湾曲して形成される上ケース２３と上ケース２２に連結されて容器２１を内を密閉状態にする下ケース２４と、上ケース２２と下ケース２４との間に介在されるパッキン２５を備えて構成される。下ケース２４は中央部に植物Ｓが植えられている培地２７を収納する培地収納部２４ａと、培地収納部２４ａの回りの外周部に前記上ケース２３に密封連結されるフランジ部２４ｂと、が形成され、培地収納部２４ａの下部には保水剤３０が収納され培地２７に給水するように配置されている。さらに培地収納部２４ａの下部には培地収納部２４ａの内部と外部を貫通する給水口２４ｃが形成され、フランジ部２４ｂに溜った水滴が培地収納部２４ａ内に供給されるように構成されている。そして、上記の構成によって、植物Ｓは容器に充分な寿命を保って栽培され、植物が栽培された容器はさらに植物鑑賞用としても提供されてきた。
【０００３】
【発明が解決しようとする課題】
しかし、上記の植物用容器２１においては、培地収納部２４ａに収納される培地は寒天等を含んで固まった状態になっているものの培地収納部２４ａに固着するようには収納されていない。植物Ｓが培地２７とともに培地収納部２４ａに固着するためには、少なくとも植物Ｓの根が張って、根が培地収納部２４ａの下部に形成された給水口２４ｃに入り込むことが必要となる。しかし、植物が育成されない初期の状態では、植物Ｓの根が伸びていないため、植物Ｓが収納された状態で運搬されたり、植物Ｓが収納されたままで転倒すると、培地２７ごと培地収納部２４ａから抜け落ちてしまうことがある。
【０００４】
この発明は、上述の課題を解決するものであり、植物育成が初期の状態でも容器に一体的に固着され、運搬時や転倒した時でも植物が培地毎抜け落ちることのない植物栽培用容器を提供することを目的とする。
【０００５】
【課題を解決するための手段】
この発明にかかわる植物栽培用容器では、上記課題を解決するため以下のように構成するものである。即ち、
培地に植えつけられる植物を栽培あるいは観賞するために、前記植物を囲うように配設される透明な保護ケースと、前記保護ケースを支持する器台と、を有し、
前記保護ケースが、透明材で形成される上ケースと、外周縁が前記上ケースとパッキンを介して連結され前記器台上に支持される下ケースと、を有し、
前記上ケースと前記器台とを固定することによって、前記上ケースと前記下ケースとを密封するように構成される植物栽培用容器であって、
前記下ケースが、前記上ケースと係合可能な外周縁部と、前記外周縁部の内方で中央に向かって低くなるようなテーパ面と、を有するフランジ部と、前記フランジ部の中央部で上方に延設され前記培地が収納された培地収納部と、を有して構成され、
前記培地収納部の側壁に複数個の孔が形成されるとともに、前記培地の下方には、前記培地に含まれる寒天が溶けることによって前記培地と一体化されたミズゴケが配設され、
前記孔に三脚状のピンのそれぞれの脚部を挿通するとともに前記ピンが前記ミズゴケを拘持するように前記培地収納部内に配設されたことを特徴とするものである。
【０００８】
またこの植物栽培用容器は、培地に植えつけられる植物を栽培あるいは観賞するために、前記植物を囲うように配設される透明な保護ケースと、前記保護ケースを支持する器台と、を有し、
前記保護ケースが、透明材で形成される上ケースと、外周縁が前記上ケースとパッキンを介して連結され前記器台上に支持される下ケースと、を有し、
前記上ケースと前記器台とを固定することによって、前記上ケースと前記下ケースとを密封するように構成される植物栽培用容器であって、
前記下ケースが、前記上ケースと係合可能な外周縁部と、前記外周縁部の内方で中央に向かって低くなるようなテーパ面と、を有するフランジ部と、前記フランジ部の中央部で上方に延設され前記培地が収納された培地収納部と、を有して構成され、
前記培地には寒天が含まれ、
前記培地収納部の下部に前記培地収納部の内部と外部に通ずる複数個の孔が形成され、前記培地の下方に前記寒天によって前記培地に固着されるとともに前記孔に一部が貫通されて前記培地に他部が埋設されるように、培地脱落防止部材が配設されたことを特徴とするものである。
【０００９】
【発明の実施の形態】
以下、この発明の一実施の形態を図面に基づいて説明する。
【００１０】
植物栽培用容器（以下、容器という）１は、図１に示されるように、上ケース３、下ケース４と、上ケース３と下ケース４との間に介在されるパッキン５と、を備えて構成される保護ケース２と、保護ケース２を支持する器台６と、を備えて構成され、保護ケース２内に培地７に植えられる植物Ｓを密閉状態にして配置している。保護ケース２内は雑菌の侵入を防止して無菌状態を保つとともに、適度な温度と湿度を保つようにしている。
【００１１】
上ケース３は、透視できるように例えばポリカーボネート等の合成樹脂やガラス等の透明な材料で形成され、上部外周が下方に湾曲された半球状に形成されるとともに下部が上部に連接する円筒状に形成され、下面が解放された状態で内部が中空状に形成されている。また、上ケース３の下端部には、図２で示されるように、保護ケース２内を密封強固にするために、全周にわたってパッキン５を押圧する突起部３１が形成されている。さらに、上ケース３の下端部の近傍上方に、器台６と連結する連結片３２が下部の外周に４か所形成され、連結片３２の上面は、図３に示されるように、上ケース３の回転する方向に対して後部側が高くなるように傾斜面３３を有している。なお、連結片３２は４個に限るものではなく、複数個あれば効果的である。
【００１２】
下ケース４は、中央部に底部から保護ケース２内の上方に向かって断面円形に形成される培地収納部４１と、培地収納部４１下部の回りに配置されるフランジ部４３と、を有して形成される。フランジ部４３の外周縁部４３ａの上面には、パッキン５を介して上ケース３の突起部３１に係合され保護ケース２内を密封するために、図２に示されるように、全周にわたって凸部４３ｂが形成されている。凸部４３ｂの内側に、上方に突起する壁部４３ｃが全周にわたって形成され、さらに壁部４３ｃの内側には、中央部の培地収納部４１側に向かって低くなるようなテーパ面４３ｄが全周にわたって形成されている。また、外周縁部４３ａの下面には下方に向かう突起部が全周にわたって形成されている。なお、上述の壁部４３ｃは、外部からの菌や埃が保護ケース２内に侵入することを防止するために形成されているものである。
【００１３】
培地収納部４１のフランジ部４３との接する部分には、図４に示すように、テーパ面４３ｄの中央部上面に連接するように形成された複数個の給水口４１ａが配置されている。そして、培地収納部４１には下部側にミズゴケ１０が収納部４１下部一面に散在され、ミズゴケ１０の上部に植物が植えられた培地７が収納される。ミズゴケ１０の多くは培地７と一体になり、フランジ部４３に落下されテーパ面４３ｄによって中央部に流れてきた水滴が、ミズゴケ１０を伝わって培地７に補給されることになる。
【００１４】
また、下ケース４のフランジ部４３には、上ケース３が曇らないように少なくとも１個の突起部４４が形成されていて、突起部４４に通気孔４４ａが貫通するように形成されている。さらに、突起部４４の上面はフランジ部４３の中央に向かって低くなるような傾斜面を有し、傾斜面に沿ってフィルタが４５が通気孔４４ａを塞ぐように配置されている。
【００１５】
上ケース３と下ケース４との間に介在されるパッキン５は、弾力のあるゴム製でリング状に形成されている。パッキン５の上面には、上ケース３の突起部３１に係合される凹部５１が形成され、パッキン５の下面には下ケース４の凸部４３ａに係合される凹部５２が形成されている。さらに外周部は下ケース４のフランジ部４３の外周側面を囲うように全周にわたって下側に向かって突起される突起部５３が形成されている。
【００１６】
器台６は、図５に示されるように、お盆型に形成され側面部６１が中空状に形成され、底面部６２は下方が解放されている。そして、側面部６１の下端面が底面部６２の下端面より下方に延設され、側面部６１の内周壁に上ケース３の連結片３２に係合される連結対片６３が連結片３２に対応して４か所形成される。連結対片６３の下面には、連結片３２の傾斜面３３が係合できるように傾斜面６４と、連結片３２の端面が当接するストッパ片６５が傾斜面６４より低い位置に配設されるように形成されている。そして、底面部６２の上面には下ケース４が載置される。
【００１７】
このように構成される植物栽培用容器１は、保護ケース２を器台６に連結することにより、保護ケース２内が密封される。保護ケース２が器台６に連結される際は、まず、容器１の培地収納部４１内の下部一面に水とともにミズゴケ１０を配置させるとともにミズゴケ１０の一部を培地収納部４１に形成された給水口４１ａに密着状態で入り込ませる。そして、植物Ｓが植えられた培地７をミズゴケの上面に載置するように培地収納部４１内に収納する。培地７は、一般的に植物培養として使用されるものであり、微量栄養素等が寒天で固められた状態にされている。従って、ミズゴケ１０は培地７の寒天が溶けることによって培地７に混合して一体化される。ミズゴケ１０の一部は給水口４１ａに入り込んでいるため、培地７の収納時に培地７はミズゴケ１０によって培地収納部４１を一体化させる。
【００１８】
次に、下ケース４を器台６に載置し下ケース４のフランジ部４３の凸部４３ｂとパッキン５の凹部５２を合わせてパッキン５を下ケース４に係合させる。その後、上ケース３を、上ケースの連結片３２と器台の連結対片６３とが干渉しない位置において、上ケース３下面の突起部３１をパッキン５の突起部５１に合わせながら、下ケース４のフランジ部４３上に載置する。上ケース３を器台６に対して所定角度（連結片３２が連結対片６３のストッパ片６５に当接するまで）回転すると、上ケース３の連結片３２と器台６の連結対片６３がその傾斜面３３、６４にガイドされながら連結される。上ケース３がパッキン５を介して下ケース４を押圧することによって保護ケース２内が強固に密封される。
【００１９】
培地７に植えられる植物Ｓは、昆虫や小動物を捕らえて食虫作用をする食虫植物で、例えば、モウセンゴケやハエトリグサのような植物が栽培される。植物栽培用容器１で栽培される植物Ｓは、光の照射する家庭内窓際やあるいは明るいオフィス等に置かれ、適度な温度が保たれる。この場合約２０℃〜２５℃が適温である。
【００２０】
この状態でしばらくすると培地に含まれる水分が蒸発し、上ケース３の上部の内周壁に結露となって溜ってくる。結露は、その後、重力により上部から下方に伝わり下ケース４のフランジ部４３のテーパ面４３ｄに落下し水滴となって中央部に流れ、水滴は培地収納部４１の給水口４１ａから培地収納部４１内に入り込むため培地７はミズゴケ１０によって水分が補強されることになる。そのため、給水が可能な植物Ｓは長い寿命を維持することができ十分に栽培でき観賞することができる。従って、この状態では、運搬配達時に容器１を傾倒させても培地７は培地収納部４１から脱落することがない。そして植物がさらに育成して根を大きく張るようになると、植物の根とミズゴケ１０が絡み合って、培地７とミズゴケ１０はさらに強固に一体化される。
【００２１】
なお、ミズゴケ１０を培地収納部４１と一体化させる形態は上記に限らず、図６に示すように、培地収納部４１の側壁に複数個の孔４１ｂを形成し、孔４１ｂに三脚状のピン１２のそれぞれの脚部を挿通するとともに、散在しているミズゴケ１０の内部にピン１２の中央部を挿入するようにしてもよい。培地収納部４１の孔４１ｂに支持されたピン１２がミズゴケ１０を拘束することによって、ミズゴケ１０と培地収納部４１を一体化させ、培地７の脱落防止をさらに図ることができる。
【００２２】
図７は、培地脱落防止部材として、ミズゴケの代わりに角型のＴ字パイプ１５を培地７の下方に配置するものであり、横パイプ１５ａの両端が給水口４１ａに挿通するように配置され、横パイプ１５ａの中央部から上方に配置された立てパイプ１５ｂが培地７に埋設するように配置されている。培地７を培地収納部４１に収納する時は、まず横パイプ１５ａを培地収納部４１の下部に配置させ、次に立てパイプ１５ｂを横パイプ１５ａに立設させる。Ｔ字パイプ１５が配置された後、培地７を培地収納部４１に収納すると、培地７に含まれている寒天がパイプの回りに融合され固まり培地７とパイプ１５が一体化されてパイプ１５の横方向の規制がなされる。従って、給水口４１ａに挿通されたパイプ１５は培地７により培地収納部４１の上下方向移動の規制をされるため、培地７の脱落防止の役目をすることになる。さらに横パイプ１５ａの上面部に複数個の孔を形成し布を垂らすようにすれば、フランジ部４３に流れてきた水滴がパイプ内に入り培地７の給水を可能とする。
【００２３】
この形態においては、特に、立てパイプ１５ｂを削除するようにしてもよく、パイプでなく丸棒にして丸棒の回りを布で巻つけるようにすれば、脱落防止と給水が可能となる。また、培地収納部４１の側壁に２個の孔を形成し、横パイプ１５ａを給水口４１ａでなく前記孔に挿通するようにしてもよい。
【００２４】
さらに、培地脱落防止部材は上述に限るものでなく、培地収納部の給水口あるいは側壁の孔に挿通できしかも培地に固着されるものであればよく、しかも培地への補水ができるものであれば、どのようなものでもよい。
【００２５】
【発明の効果】
本発明の植物栽培用容器によれば、培地に植えつけられる植物を栽培あるいは観賞するために、前記植物を囲うように配設される透明な保護ケースと、前記保護ケースを支持する器台と、を有し、前記保護ケースが、透明材で形成される上ケースと、外周縁が前記上ケースとパッキンを介して連結され前記器台上に支持される下ケースと、を有し、前記上ケースと前記器台とを固定することによって、前記上ケースと前記下ケースとを密封するように構成されるものであり、
前記下ケースが、前記上ケースと係合可能な外周縁部と、前記外周縁部の内方で中央に向かって低くなるようなテーパ面と、を有するフランジ部と、前記フランジ部の中央部で上方に延設され前記培地が収納される培地収納部と、を有して構成され、前記培地の下方にミズゴケが前記培地収納部と一体的に配設されている。ミズゴケは培地に含まれる寒天等に融合され固められて前記培地に一体化され、さらに前記培地収納部の給水口に入り込んで前記培地収納部に絡みついたり、また、ミズゴケを拘持するようにピンを配置すれば、植物が植えられた培地は、運搬時における振動や、持ち運び時における転倒が発生しても前記培地収納部から脱落することを防止できる。しかもミズゴケは水分を給水するので植物を長寿命化させることができる。
【００２６】
この植物栽培用容器は、上述のミズゴケに代わって、前記培地の下方に配置され、前記培地収納部に形成された孔に挿通する培地脱落防止部材を設けるようにしてもよい。前記培地脱落防止部材は前記培地の寒天等で融合して固められて、前記培地と一体化されるとともに、前記培地収納部に対して動きを規制されて前記培地と前記培地収納部を一体化させる。そのため、前記培地の前記培地収納部からの脱落を防止することができる。
【図面の簡単な説明】
【図１】本発明の一実施の形態による植物栽培用容器を示す断面図
【図２】図１における上ケースと器台の連結部を示す一部断面図
【図３】図１における連結片を示す図
【図４】図１における給水口部を示す一部拡大断面図
【図５】図１における器台を示す斜視図
【図６】別の形態によるミズゴケと培地収納部との一体化を示す断面図
【図７】本発明の培地収納部の給水手段の別の形態を示す図
【図８】従来の植物栽培用容器を示す図
【符号の説明】
Ｓ…植物
１…植物栽培用容器
２…保護ケース
３…上ケース
４…下ケース
６…器台
７…培地
１０…ミズゴケ
１５…Ｔ字パイプ
４１…培地収納部
４１ａ…給水口
４２…培地収納部
４３…フランジ部
４３ａ…外周縁部
４３ｄ…テーパ面
４４…突起部
【図１】
0003935250.tif 000002
【図２】
0003935250.tif 000003
【図３】
0003935250.tif 000004
【図４】
0003935250.tif 000005
【図５】
0003935250.tif 000006
【図６】
0003935250.tif 000007
【図７】
0003935250.tif 000008
【図８】
0003935250.tif 000009